(57)【要約】【課題】  石炭燃焼試験等の試験データを長期間利用することが可能な試験データバックアップ技術を提供する。【解決手段】  収集された試験データを順次取り込んで記憶部２ｂに保存するデータ管理サーバ２と、記憶部２ｂに保存された試験データをバックアップする試験データバックアップサーバ４とを接続すると共に、試験データバックアップサーバ４にデータを保存する記憶部４ｂとリムーバブルな記憶メディアを有する補助記憶装置４ｃとを設ける。試験データバックアップサーバ４によって入力手段を介して設定された試験データの抽出予定日が到来したか否かを判定し、試験データの抽出予定日が到来した場合にその抽出予定日の試験データの送出をデータ管理サーバ２に対して要求し、データ管理サーバ２から送出された試験データを少なくとも補助記憶装置４ｃのリムーバブルな記憶メディアに保存する。【選択図】        図２
2005276077.tif 000002
【特許請求の範囲】
【請求項１】
収集された試験データを順次取り込んで記憶部に保存するデータ管理サーバと、前記データ管理サーバに接続され、前記記憶部に保存された前記試験データをバックアップする試験データバックアップサーバとを有して構成される試験データバックアップシステムにおいて、
前記試験データバックアップサーバは、入力手段を介して設定された試験データの抽出予定日が到来したか否かを判定する抽出予定日判定手段と、前記抽出予定日判定手段により試験データの抽出予定日が到来したと判定された場合に、前記抽出予定日の試験データの送出を前記データ管理サーバに対して要求する試験データ送出要求手段とを有し、
前記データ管理サーバは、試験データの送出要求があった場合に、設定された前記抽出予定日の試験データを前記記憶部から抽出して前記試験データバックアップサーバへ送出する手段を有し、
前記試験データバックアップサーバは、前記データ管理サーバから送出された試験データを少なくともリムーバブルな記憶メディアに保存可能とするバックアップ手段を更に有することを特徴とする試験データバックアップシステム。
【請求項２】
前記試験データバックアップサーバは、前記入力手段を介して指定された前記試験データの保存媒体がリムーバブルな記憶メディアであるか否かを判定する保存媒体判定手段をさらに備え、
前記バックアップ手段は、前記保存媒体判定手段により前記試験データの保存媒体がリムーバブルな記憶メディアに指定されていると判定された場合に、前記データ管理サーバから送出された前記試験データを前記リムーバブルな記憶メディアのみに保存し、それ以外の場合に、前記データ管理サーバから送出された前記試験データを前記リムーバブルな記憶メディアと前記試験データバックアップサーバの記憶部とに保存することを特徴とする請求項１記載の試験データバックアップシステム。
【請求項３】
前記試験データバックアップサーバは、前記データ管理サーバに保存されている既存の試験データの抽出日が前記入力手段を介して設定されたか否かを判定する判定手段と、この判定手段により前記既存の試験データの抽出日が設定されたと判定された場合に、該当する抽出日の試験データの送出を前記データ管理サーバに対して要求する既存試験データ送出要求手段とを有し、
前記データ管理サーバは、前記既存試験データ送出要求手段による試験データの送出要求があった場合に、設定された抽出日の既存の試験データを前記記憶部から抽出して前記試験データバックアップサーバへ送出する手段を有し、
前記試験データバックアップサーバは、前記データ管理サーバから送出された既存の試験データを少なくともリムーバブルな記憶メディアに保存可能とする既存試験データバックアップ手段を有することを特徴とする請求項１記載の試験データバックアップシステム。
【請求項４】
前記リムーバブルな記憶メディアに保存されたデータファイルと前記試験データバックアップサーバの記憶部に保存されたデータファイルを前記入力手段により選択可能とし、前記試験データバックアップサーバは、前記リムーバブルな記憶メディアに保存されたデータのリストア要請時に、前記リムーバブルな記憶メディアに保存された選択されたデータファイルを自身の記憶部に保存されている選択されたデータファイルに置き換える置換手段を有することを特徴とする請求項１記載の試験データバックアップシステム。
【請求項５】
入力手段は、通信回線を介して接続された制御端末であることを特徴とする請求項１記載の試験データバックアップシステム。
【請求項６】
収集された試験データを順次取り込んで記憶部に保存するデータ管理サーバと、前記記憶部に保存された前記試験データをバックアップする試験データバックアップサーバとを接続すると共に、前記試験データバックアップサーバにデータを保存する記憶部とリムーバブルな記憶メディアを有する補助記憶装置とを設けて構成されたネットワークシステムを利用して試験データをバックアップする試験データバックアップ方法において、
前記試験データバックアップサーバにて、入力手段を介して設定された試験データの抽出予定日が到来したか否かを判定する工程と、試験データの抽出予定日が到来したと判定された場合に、その抽出予定日の試験データの送出を前記データ管理サーバに対して要求する工程とを含み、
前記データ管理サーバにて、前記試験データの送出要求があった場合に、設定された抽出予定日の試験データを自身の前記記憶部から抽出して前記試験データバックアップサーバへ送出する工程を含み、
前記試験データバックアップサーバにて、前記データ管理サーバから送出された試験データを少なくともリムーバブルな記憶メディアに保存するバックアップ工程とを含むことを特徴とする試験データバックアップ方法。
【請求項７】
前記試験データバックアップサーバにて、前記入力手段を介して指定された前記試験データの保存媒体がリムーバブルな記憶メディアであるか否かを判定する工程を含み、
前記バックアップ工程は、前記入力手段を介して指定された前記試験データの保存媒体がリムーバブルな記憶メディアであると判定された場合に、前記データ管理サーバから送出された試験データを前記リムーバブルな記憶メディアのみに保存し、それ以外の場合に、前記データ管理サーバから送出された試験データを前記リムーバブルな記憶メディアと前記試験データバックアップサーバの記憶部とに保存するものであることを特徴とする請求
項６記載の試験データバックアップ方法。
【請求項８】
前記試験データバックアップサーバにて、前記データ管理サーバに記憶されている既存の試験データの抽出日が前記入力手段を介して設定されたか否かを判定する工程と、前記データ管理サーバに記憶されている既存の試験データの抽出日が設定されたと判定された場合に、該当する抽出日の既存の試験データの送出を前記データ管理サーバに対して要求する工程とを含み、
前記データ管理サーバにて、要求された抽出日の既存の試験データを前記記憶部から抽出して前記試験データバックアップサーバへ送出する工程を含み、
前記試験データバックアップサーバにて、前記データ管理サーバから送出された既存の試験データを少なくともリムーバブルな記憶メディアに保存可能とする工程をさらに含むことを特徴とする請求項６記載の試験データバックアップ方法。
【請求項９】
収集された試験データを順次取り込んで記憶部に保存するデータ管理サーバと、前記データ管理サーバに接続され、前記記憶部に保存された前記試験データをバックアップする試験データバックアップサーバとを有し、前記試験データバックアップサーバに試験データを保存する記憶部とリムーバブルな記憶メディアを有する補助記憶装置とを設けて構成されたネットワークシステムを利用して試験データをバックアップするためのコンピュータ読み取り可能なバックアップ制御プログラムにおいて、
前記試験データバックアップサーバに、入力手段を介して設定された試験データの抽出予定日が到来したか否かを判定させる機能と、試験データの抽出予定日が到来したと判定された場合に、その抽出予定日の試験データの送出を前記データ管理サーバに対して要求する機能とを実現させ、
前記データ管理サーバに、前記試験データの送出要求があった場合に、設定された抽出予定日の試験データを前記試験データバックアップサーバへ送出する機能を実現させ、
前記試験データバックアップサーバに、前記データ管理サーバから送出された試験データを少なくともリムーバブルな記憶メディアに保存するバックアップ機能をさらに実現させることを特徴とするバックアップ制御プログラム。
【請求項１０】
前記試験データバックアップサーバに、前記入力手段を介して指定された前記試験データの保存媒体がリムーバブルな記憶メディアであるか否かを判定させる機能をさらに実現させ、
前記試験データバックアップサーバに実現させる前記バックアップ機能は、前記入力手段を介して設定された前記試験データの保存媒体がリムーバブルな記憶メディアであると判定された場合に、前記データ管理サーバから送出された試験データを前記リムーバブルな記憶メディアのみに保存し、それ以外の場合に、前記データ管理サーバから送出された試験データを前記リムーバブルな記憶メディアと前記試験データバックアップサーバの記憶部とに保存させるものであることを特徴とする請求項９記載の試験データバックアップシステム。
【請求項１１】
前記試験データバックアップサーバに、データ管理サーバに保存されている既存の試験データの抽出日が前記入力手段を介して設定されたか否かを判定させる機能と、前記データ管理サーバに保存されている既存の試験データの抽出日が設定されたと判定された場合に、該当する抽出日の試験データの送出を前記データ管理サーバに対して要求する機能とをさらに実現させ、
前記データ管理サーバに、要求された抽出日の既存の試験データを前記記憶部から抽出して前記試験データバックアップサーバへ送出する機能を実現させ、
前記試験データバックアップサーバに、前記データ管理サーバから送出された既存の試験データを少なくともリムーバブルな記憶メディアに保存可能とする機能をさらに実現させることを特徴とする請求項９記載のバックアップ制御プログラム。
【請求項１２】
前記請求項９〜１１のいずれかに記載のプログラムを記載したコンピュータ読み取り可能な記憶媒体。
【発明の詳細な説明】
【技術分野】
【０００１】
この発明は、火力発電プラントなどで実施される石炭燃焼試験等によって得られた試験データを長期間利用するために適した試験データバックアップ技術に関する。
【背景技術】
【０００２】
火力発電プラントにおいては、海外から輸入されたさまざまな石炭が用いられるので、それぞれの石炭を燃焼させた場合に、環境基準を満たしているどうか、ボイラに与える影響がないかどうかなどを調べる必要がある。このため、輸入した石炭を実際にボイラーで燃焼させて必要な試験データを収集し、これを解析するようにしている。このようなプラントにおいては、各機器の運転履歴などのデータを一元管理するためにプラントデータ管理サーバが設けられており（特許文献１等参照）、石炭の燃焼試験によって収集された試験データにおいても、このプラントデータ管理サーバに蓄積し、適宜読み出して解析することが考えられている。
【０００３】
【特許文献１】特開２００３−３３０５３５号公報
【発明の開示】
【発明が解決しようとする課題】
【０００４】
しかしながら、一回の石炭燃焼試験で収集される試験データは膨大な量に及ぶので、プラントデータ管理サーバによって保存できるデータ量にも限界があり、所定期間（例えば、１４日）が経過した試験データは消去せざるを得ない。このため、試験データを後日に解析しようとすると、必要とする試験データが既に消去されて利用できなくなっている不都合が生じる。
【０００５】
そこで、本発明は、上述のような事情に鑑みてさなれたものであり、石炭燃焼試験等の試験データを長期間利用することが可能な試験データバックアップシステム及びバックアップ方法、並びにバックアップ制御プログラム及びこれを記憶した記憶媒体を提供することを主たる課題としている。
【課題を解決するための手段】
【０００６】
上記課題を達成するために、この発明に係る試験データバックアップシステムは、収集された試験データを順次取り込んで記憶部に保存するデータ管理サーバと、前記データ管理サーバに接続され、前記記憶部に保存された前記試験データをバックアップする試験データバックアップサーバとを有して構成され、前記試験データバックアップサーバは、入力手段を介して設定された試験データの抽出予定日が到来したか否かを判定する抽出予定日判定手段と、前記抽出予定日判定手段により試験データの抽出予定日が到来したと判定された場合に、前記抽出予定日の試験データの送出を前記データ管理サーバに対して要求する試験データ送出要求手段とを有し、前記データ管理サーバは、試験データの送出要求があった場合に、設定された前記抽出予定日の試験データを前記記憶部から抽出して前記試験データバックアップサーバへ送出する手段を有し、前記試験データバックアップサーバは、前記データ管理サーバから送出された試験データを少なくともリムーバブルな記憶メディアに保存可能とするバックアップ手段を更に有することを特徴としている（請求項１）。
【０００７】
ここで、収集された試験データは、例えば、石炭燃焼試験で得られた各種アナログデータであり、また、リムーバブルな記憶メディアとしては、例えば、大容量メディアとして知られるＤＶＤディスクなどが該当する。さらに、入力手段としては、通信回線を介して接続された制御端末などが該当する（請求項５）。
【０００８】
したがって、残しておきたい試験データの抽出予定日を設定しておくことで、抽出予定日になると、データ管理サーバに取り込まれた試験データが試験データバックアップサーバへ送出され、少なくともリムーバブルな記憶メディアに保存されるので、抽出予定日の試験データを半永久的に保存しておくことが可能となり、データ管理サーバによる保存期間を経過した後でも試験データを利用することが可能となる。
【０００９】
また、上述の構成において、前記試験データバックアップサーバは、前記入力手段を介して指定された前記試験データの保存媒体がリムーバブルな記憶メディアであるか否かを判定する保存媒体判定手段をさらに備え、前記バックアップ手段は、前記保存媒体判定手段により前記試験データの保存媒体がリムーバブルな記憶メディアに指定されていると判定された場合に、前記データ管理サーバから送出された前記試験データを前記リムーバブルな記憶メディアのみに保存し、それ以外の場合に、前記データ管理サーバから送出された前記試験データを前記リムーバブルな記憶メディアと前記試験データバックアップサーバの記憶部とに保存するようにしてもよい（請求項２）。
【００１０】
このような構成を採用することで、リムーバブルな記憶メディアにのみ記憶させておきたいのか、すぐに利用することを予定してリムーバブルな記憶メディアと試験データバックアップサーバの記憶部との両方に記憶させておきたいのかを選択することが可能となり、幅広い使用方法を提供することが可能となる。
【００１１】
さらに、試験データバックアップサーバは、前記データ管理サーバに保存されている既存の試験データの抽出日が前記入力手段を介して設定されたか否かを判定する判定手段と、この判定手段により前記既存の試験データの抽出日が設定されたと判定された場合に、該当する抽出日の試験データの送出を前記データ管理サーバに対して要求する既存試験データ送出要求手段とを有し、前記データ管理サーバは、前記既存試験データ送出要求手段による試験データの送出要求があった場合に、設定された抽出日の既存の試験データを前記記憶部から抽出して前記試験データバックアップサーバへ送出する手段を有し、前記試験データバックアップサーバは、前記データ管理サーバから送出された既存の試験データを少なくともリムーバブルな記憶メディアに保存可能とする既存試験データバックアップ手段を有するようにしてもよい（請求項３）。
【００１２】
このような構成によれば、抽出日のバックアップが失敗した場合や抽出日の設定をし忘れたような場合でも、データ管理サーバに保存されている範囲で試験データバックアップサーバへ試験データを送出させることができ、リムーバブルな記憶メディアに保存可能となる。
【００１３】
尚、リムーバブルな記憶メディアから試験データをリストアするには、リムーバブルな記憶メディアに保存されたデータファイルと試験データバックアップサーバの記憶部に保存されたデータファイルを前記入力手段により選択可能とし、前記試験データバックアップサーバに、前記リムーバブルな記憶メディアに保存されたデータのリストア要請時に、前記リムーバブルな記憶メディアに保存された選択されたデータファイルを自身の記憶部に保存されている選択されたデータファイルに置き換える置換手段を設けるとよい（請求項４）。
【００１４】
このような構成においては、リムーバブルな記憶メディアから試験データをリストアする場合に、試験データバックアップサーバの記憶部に保存されている一部のデータが置き換えられるので、記憶部にリストア用の領域を確保しておく必要がなく、記憶部の格納領域を有効に使用することが可能となる。
【００１５】
また、上記課題を達成するために、本発明に係る試験データバックアップ方法は、収集された試験データを順次取り込んで記憶部に保存するデータ管理サーバと、前記記憶部に保存された前記試験データをバックアップする試験データバックアップサーバとを接続すると共に、前記試験データバックアップサーバにデータを保存する記憶部とリムーバブルな記憶メディアを有する補助記憶装置とを設けて構成されたネットワークシステムを利用して試験データをバックアップする方法であり、前記試験データバックアップサーバにて、入力手段を介して設定された試験データの抽出予定日が到来したか否かを判定する工程と、試験データの抽出予定日が到来したと判定された場合に、その抽出予定日の試験データの送出を前記データ管理サーバに対して要求する工程とを含み、前記データ管理サーバにて、前記試験データの送出要求があった場合に、設定された抽出予定日の試験データを自身の前記記憶部から抽出して前記試験データバックアップサーバへ送出する工程を含み、前記試験データバックアップサーバにて、前記データ管理サーバから送出された試験データを少なくともリムーバブルな記憶メディアに保存するバックアップ工程とを含むことを特徴としている（請求項６）。
【００１６】
ここで、前記試験データバックアップサーバにて、前記入力手段を介して指定された前記試験データの保存媒体がリムーバブルな記憶メディアであるか否かを判定する工程を含み、前記バックアップ工程を、前記入力手段を介して指定された前記試験データの保存媒体がリムーバブルな記憶メディアであると判定された場合に、前記データ管理サーバから送出された試験データを前記リムーバブルな記憶メディアのみに保存し、それ以外の場合に、前記データ管理サーバから送出された試験データを前記リムーバブルな記憶メディアと前記試験データバックアップサーバの記憶部とに保存するものとしてもよい（請求項７）。
【００１７】
また、試験データバックアップサーバにて、前記データ管理サーバに記憶されている既存の試験データの抽出日が前記入力手段を介して設定されたか否かを判定する工程と、前記データ管理サーバに記憶されている既存の試験データの抽出日が設定されたと判定された場合に、該当する抽出日の既存の試験データの送出を前記データ管理サーバに対して要求する工程とを含み、前記データ管理サーバにて、要求された抽出日の既存の試験データを前記記憶部から抽出して前記試験データバックアップサーバへ送出する工程を含み、前記試験データバックアップサーバにて、前記データ管理サーバから送出された既存の試験データを少なくともリムーバブルな記憶メディアに保存可能とする工程をさらに含むようにしてもよい（請求項８）。
【００１８】
さらに、上記課題を達成するために、本発明に係るコンピュータ読み取り可能なバックアップ制御プログラムは、収集された試験データを順次取り込んで記憶部に保存するデータ管理サーバと、前記データ管理サーバに接続され、前記記憶部に保存された前記試験データをバックアップする試験データバックアップサーバとを有し、前記試験データバックアップサーバに試験データを保存する記憶部とリムーバブルな記憶メディアを有する補助記憶装置とを設けて構成されたネットワークシステムを利用して試験データをバックアップするためのものであり、前記試験データバックアップサーバに、入力手段を介して設定された試験データの抽出予定日が到来したか否かを判定させる機能と、試験データの抽出予定日が到来したと判定された場合に、その抽出予定日の試験データの送出を前記データ管理サーバに対して要求する機能とを実現させ、前記データ管理サーバに、前記試験データの送出要求があった場合に、設定された抽出予定日の試験データを前記試験データバックアップサーバへ送出する機能を実現させ、前記試験データバックアップサーバに、前記データ管理サーバから送出された試験データを少なくともリムーバブルな記憶メディアに保存するバックアップ機能をさらに実現させることを特徴としている（請求項９）。
【００１９】
ここで、試験データバックアップサーバに、前記入力手段を介して指定された前記試験データの保存媒体がリムーバブルな記憶メディアであるか否かを判定させる機能をさらに実現させ、前記試験データバックアップサーバに実現させる前記バックアップ機能を、前記入力手段を介して設定された前記試験データの保存媒体がリムーバブルな記憶メディアであると判定された場合に、前記データ管理サーバから送出された試験データを前記リムーバブルな記憶メディアのみに保存し、それ以外の場合に、前記データ管理サーバから送出された試験データを前記リムーバブルな記憶メディアと前記試験データバックアップサーバの記憶部とに保存させるものとしてもよい（請求項１０）。
【００２０】
また、コンピュータ読み取り可能なバックアップ制御プログラムは、さらに、試験データバックアップサーバに、データ管理サーバに保存されている既存の試験データの抽出日が前記入力手段を介して設定されたか否かを判定させる機能と、前記データ管理サーバに保存されている既存の試験データの抽出日が設定されたと判定された場合に、該当する抽出日の試験データの送出を前記データ管理サーバに対して要求する機能とをさらに実現させ、前記データ管理サーバに、要求された抽出日の既存の試験データを前記記憶部から抽出して前記試験データバックアップサーバへ送出する機能を実現させ、前記試験データバックアップサーバに、前記データ管理サーバから送出された既存の試験データを少なくともリムーバブルな記憶メディアに保存可能とする機能をさらに実現させるようにしてもよい（請求項１１）。
【００２１】
尚、上述したプログラムは、コンピュータ読み取り可能な記憶媒体に格納されて提供されてもよいし（請求項１２）、有線または無線による通信手段を介して配信されてもよい。
【発明の効果】
【００２２】
以上述べたように、各請求項に係る発明によれば、設定された試験データの抽出日にデータ管理サーバから取り込まれた試験データが試験データバックアップサーバへ送出され、少なくともリムーバブルな記憶メディアに保存されるので、データ管理サーバの保存期間を気にすることなく試験データの長期間の利用が可能となる。
【００２３】
特に、請求項２，７，１０に係る発明によれば、試験データをリムーバブルな記憶メディアにのみ記憶させておきたいのか、リムーバブルな記憶メディアと試験データバックアップサーバの記憶部との両方に記憶させておきたいのかを選択することが可能となるので、利用者の使用用途に合わせた使用方法を提供することも可能となる。
【００２４】
また、請求項３，８，１１に係る発明によれば、データ管理サーバに保存されている既存の試験データも必要に応じてリムーバブルな記憶メディアに保存することが可能であるので、抽出日のバックアップが失敗した場合や抽出日の設定をし忘れたような場合でも、データ管理サーバに保存されている範囲で試験データバックアップサーバへ試験データを送出させることが可能となり、試験データの有効利用を図ることが可能となる。
【００２５】
尚、リムーバブルな記憶メディアからの試験データのリストア時において、リムーバブルな記憶メディアに保存された選択されたデータファイルを試験データバックアップサーバの記憶部に保存されている選択されたデータファイルに置き換えるようにすれば、試験データバックアップサーバの記憶部にリストア用の領域を確保しておく必要がなくなり、記憶部のデータ格納領域を有効に使用することが可能となる。
【発明を実施するための最良の形態】
【００２６】
以下、この発明の最良の実施形態を添付図面を参照しながら説明する。
【００２７】
図１において、ボイラ、タービン、発電機から構成される火力発電プラント（ＢＴＧプラント）を利用して石炭燃焼試験を行い、試験データを収集管理するデータ管理システムの構成例を示す。
【００２８】
このデータ管理システムは、プラントデータ管理サーバ２、制御端末３、試験データバックアップサーバ４などをＯＡネットワーク１を介して接続し、また、発電所ユニットネットワーク６に接続されたユニット計算機７ａ，７ｂや、発電所ユニットネットワーク６にゲートウェイプロセッサ（ＧＷＰ）８を介して接続された屋外設備用計算機９ａ，９ｂをゲートウエイサーバ５を介して前記ＯＡネットワーク１に接続して構成されている。
【００２９】
ここで、上述した各サーバ２，４や制御端末３は、それぞれ、ＣＰＵ，ＲＯＭ，ＲＡＭ、外部記憶装置等を有する情報処理装置であり、これらサーバや端末に対する各種ソフトウエアは、ＣＤ−ＲＯＭ等の記憶媒体から読み込まれるなどしてメモリに保持され、ＣＰＵにより実行される。また、ユニット計算機７ａ，７ｂや屋外設備用計算機９ａ，９ｂなどのプラント計算機は、プラントの運用履歴に依存するプラントデータや石炭燃焼試験の試験データを収集・演算しており、これらデータをゲートウエイサーバ５を介してプラントデータ管理サーバ２へ送出するようにしている。ここで、プラント計算機（ユニット計算機７ａ，７ｂ、屋外設備用計算機９ａ，９ｂ）から収集される石炭燃焼試験の試験データは、アナログデータを想定している。
【００３０】
ゲートウエイサーバ５は、各プラント計算機（ユニット計算機７ａ，７ｂ、屋外設備用計算機９ａ，９ｂ）から送出されたプラントデータ（アナログ履歴データ、計算機データ  ）や試験データを受信・選別すると共に一時的に保存し、試験データにあっては、例えば２０秒周期でプラントデータ管理サーバ２へ送出するようにしている。
【００３１】
プラントデータ管理サーバ２は、試験データを収集して一定期間保存するもので、図２に示されるように、制御端末３や試験データバックアップサーバ４、ゲートウェイサーバ５などとの間の通信を制御する入出力部２ａと、ゲートウエイサーバ５から入出力部２ａを介して取り込まれた試験データを格納するデータ記憶部２ｂと、メモリに与えられた所定の制御プログラムにしたがってプラントデータの入出力制御やデータ管理などを行う制御部２ｃとを有している。尚、データ記憶部２ｂは、試験データを約１４日分格納することができる容量を有しており、所定容量に達した場合には最も古い日のデータから消去されるようになっている。
【００３２】
試験データバックアップサーバ４は、プラントデータ管理サーバ２に取り込まれた試験データをバックアップするもので、プラントデータ管理サーバ２や制御端末３などとの間の通信を制御する入出力部４ａと、プラントデータ管理サーバ２から送出されたバックアップ対象データを入出力部４ａを介して取り込み、保存するデータ記憶部４ｂと、ＤＶＤディスクなどのリムーバブルな記憶メディアを有する補助記憶装置４ｃと、メモリに与えられた所定の制御プログラムにしたがってプラントデータの入出力制御やデータ管理などを行う制御部４ｄとを有している。また、キーボードやマウスなどの入力装置４ｅ、モニターやプリンタなどの出力装置４ｆを有しており、入力装置４ｅを介してバックアップ処理に必要な各種設定などを行ったり、データ記憶部４ｂに格納された試験データや、補助記憶装置４ｃにセットされたリムーバブルな記憶メディアに記録されている試験データを見ることができるようになっている。尚、データ記憶部４ｂは、試験データを約５日分格納することができ得る容量を有している。また、補助記憶装置（ＤＶＤ）４ｃは、試験データを約４日分格納することができ得る容量を有している。
【００３３】
制御端末３は、キーボードやマウスなどの入力装置３ａ、モニターやプリンタなどの出力装置３ｂを有しており、入力装置３ａを介してバックアップ処理に必要な各種設定などを行ったり、出力装置３ｂを介して試験データバックアップサーバ４のデータ記憶部４ｂに格納された試験データや補助記憶装置４ｃにセットされたリムーバブルな記憶メディアに記録されている試験データを見ることができるようになっている。
【００３４】
試験データの処理プロセスは、プラントデータ管理サーバ２、試験データバックアップサーバ４、及び制御端末３で読み取ることが可能なバックアップ制御プログラムをＣＤ−Ｒ等の記憶媒体を介して供給することにより、或いは、ネットワークを介して各サーバや端末に配信することによってインストールし、このインストールされた制御プログラムを実行することによって行われるもので、以下において、制御端末３を介してバックアップ処理に必要な各種設定などを行う場合を例にし、プラントデータ管理サーバ２や試験データバックアップサーバ４で行われる試験データのデータ処理例を設定画面やフローチャートを参照しながら説明する。
【００３５】
先ず、制御端末３のモニターにおいては、インストールされた制御プログラムに基づき、サーバ自動抽出設定、ＤＶＤ自動抽出設定、手動バックアップ、手動リストア、ボリューム名確認、設定者メンテナンス、抽出履歴などの各処理を行うために選択可能なアイコンが表示された初期画面が表示される。利用者は、実行したい処理のアイコンをマウス等で選択することにより、対応する処理を実行させるもので、制御端末３側で行われる操作により試験データバックアップサーバ４では、図３に示されるような処理がなされる。
【００３６】
即ち、制御端末３のモニター画面上でそれぞれのアイコンが選択されることにより、試験データバックアップサーバ４では、データ自動抽出日の設定要請があるかどうか（Ｓ０１）、ＤＶＤへの自動抽出の設定要請があるかどうか（Ｓ０２）、手動バックアップの設定要請があるかどうか（Ｓ０３）、ＤＶＤデータのリストア設定要請があるかどうか（Ｓ０４）、ＤＶＤデータの検索要請があるかどうか（Ｓ０５）、設定者情報の更新要請があるかどうか（Ｓ０６）、履歴情報の表示要請があるかどうか（Ｓ０７）が判定され、データ自動抽出日の設定要請があれば、データ自動抽出日の設定処理を行い（Ｓ０８）、ＤＶＤへの自動抽出の設定要請があれば、ＤＶＤへの自動抽出設定処理を行い（Ｓ０９）、手動バックアップの設定要請があれば、手動バックアップの設定処理を行い（Ｓ１０）、ＤＶＤデータのリストア設定要請があれば、ＤＶＤデータのリストア設定処理を行い（Ｓ１１）、ＤＶＤデータの検索要請があれば、ＤＶＤデータの検索処理を行い（Ｓ１２）、設定者情報の更新要請があれば、設定者情報の更新処理を行い（Ｓ１３）、履歴情報の表示要請があれば、履歴情報の表示処理を行う（Ｓ１４）。
【００３７】
前記データ自動抽出日の設定処理は、制御端末３のモニター上に表示される図４に示されるような設定画面に基づいて行われる。この設定画面においては、現在の設定状況を表示する確認表示部１１と将来の試験データの抽出予定を設定する予定設定部１２とが表示され、確認表示部１１には、現在の設定状況が抽出日を示すデータ日付と設定者とを対応付けて表示される。また、予定設定部１２には、抽出予定日をデータ日付のコンボボックスに、設定者を設定者のコンボボックスにそれぞれ設定できるようにしている。ここで、データ日付けの設定は、例えば、設定欄の脇にあるプッシュボタンをクリックして表示されるポップアップカレンダから抽出予定日を選択することで行われ、また、設定者の設定は、設定欄の脇にあるプッシュボタンを押して表示される設定者リフトの中から選択することで行われる。そして、利用者は、設定ボタン１３を押して設定内容を確定し、終了ボタン１４を押してこの処理を終える。
【００３８】
試験データバックアップサーバ４は、上述した制御端末３からの利用者の操作に対し、図５に示されるように、利用者が画面上の設定ボタン１３を押して設定内容を確定したか否かを判定し（Ｓ２１）、設定ボタン１３を押して設定内容を確定したと判定された場合には、設定された内容を確定して確認表示部１１の同一行の欄に設定内容を表示させる（Ｓ２２）。この際、既存の設定が表示されている場合には新規の設定内容に置き換えられる。また、この確定した設定情報（データ日付と設定者）は、試験データバックアップサーバ４に記憶され、後述する自動抽出処理に用いられる（Ｓ２３）。その後、終了ボタン１４が押されてこの処理を終了する要請があるか否かを判定し（Ｓ２４）、終了ボタン１４が押されたと判定された場合には、この設定処理を終了する。
【００３９】
前記ＤＶＤ４ｃへの自動抽出の設定処理は、制御端末３のモニター上に表示される図６に示されるような設定画面に基づいて行われる。この設定画面においては、現在の設定状況を表示する確認表示部１５と将来の試験データの抽出予定を設定する予定設定部１６とが表示され、確認表示部１５には、現在の設定状況が抽出日を示すデータ日付と設定者とを対応付けて表示される。また、予定設定部１６においては、ＤＶＤへの自動抽出を行う将来の抽出日をデータ日付のコンボボックスに設定し、設定者を設定者のコンボボックスに設定できるようにしている。ここで、データ日付けの設定は、例えば、設定欄の脇にあるプッシュボタンをクリックして表示されるポップアップカレンダから将来の抽出日を選択することで行われ、また、設定者の設定は、設定欄の脇にあるプッシュボタンを押して表示される設定者リフトの中から選択することで行われる。そして、利用者は、設定ボタン１７を押して設定内容を確定し、終了ボタン１８を押してこの処理を終える。
【００４０】
試験データバックアップサーバ４は、このような制御端末３からの利用者の操作に対し、図７に示されるように、利用者が画面上の設定ボタン１７を押して設定内容を確定したか否かを判定し（Ｓ３１）、設定ボタン１７を押して設定内容を確定したと判定された場合には、設定された内容を確定して確認表示部１５に表示させる（Ｓ３２）。また、この確定した設定情報（データ日付と設定者）は、試験データバックアップサーバ４に記憶され、後述する自動抽出処理に用いられる（Ｓ３３）。そして、終了ボタン１８が押されてこの処理を終了する要請があるか否かを判定し（Ｓ３４）、終了ボタン１８が押された場合には、この設定処理を終了する。
【００４１】
前記手動バックアップの設定処理は、制御端末３のモニター上に表示される図８に示されるような設定画面に基づいて行われる。この設定画面においては、設定者を設定するコンボックス１９と、現在のプラントデータ管理サーバ２に格納されているデータ情報を表示させるサーバ情報表示部２０が表示される。ここで、サーバ情報表示部２０においては、現在のプラントデータ管理サーバ２に格納されている１４日分の試験データの日付けが表示され、いずれかの日付けを選択できるようになっている。ここで、試験データの日付けの選択は、例えば、日付けの横に設けられたラジオボタンをクリックして選択することで行われる。そして、利用者は、バックアップボタン２１を押して選択された試験データの日付けを確定し、終了ボタン２２を押してこの処理を終える。
【００４２】
試験データバックアップサーバ４は、このような利用者の操作に対し、図９に示されるように、バックアップボタン２１が押されて手動バックアップの要請があるか否かを判定し（Ｓ４１）、バックアップボタン２１が押されたと判定された場合には、プラントデータ管理サーバ２に対して選択された日付けの試験データの送出を要求する（Ｓ４２）。この要求に対してプラントデータ管理サーバ２では、対応する試験データが抽出されて送信され（Ｓ４３）、これを受けて試験データバックアップサーバ４では送信された試験データをＤＶＤのディスクに記録させる（Ｓ４４）。その後、終了ボタン２２が押されてこの処理を終了する要請があるか否かを判定し（Ｓ４５）、終了ボタン２２が押されたと判定された場合には、この設定処理を終了する。
【００４３】
ＤＶＤデータのリストア設定処理は、制御端末３のモニター上に表示される図１０に示されるような設定画面に基づいて行われる。この設定画面においては、現在セットされているＤＶＤディスク内に記録されている試験データの情報を表示するＤＶＤディスク情報表示部２３と、試験データバックアップサーバ４に記憶されている試験データの情報を表示する試験データバックアップサーバ情報表示部２４とが表示される。ここで、それぞれの表示部２３，２４においては、記憶されている試験データの日付けが表示され、それぞれの日付けに対応して設けられたラジオボタンにより、ＤＶＤからリストアしたい試験データの日付けを選択すると共に、ＤＶＤからリストアされる試験データに置き換えられるプラントデータ管理サーバ２内の試験データの日付けを選択できるようになっている。そして、利用者は、リストアボタン２５を押してＤＶＤディスクからの試験データのリストアを開始し、終了ボタン２６を押してこの処理を終える。
【００４４】
試験データバックアップサーバ４は、このような制御端末３からの利用者の操作に対し、図１１に示されるように、画面上のリストアボタン２５が押されてＤＶＤデータのリストアの要請があるか否かを判定し（Ｓ５１）、リストアボタン２５が押されてリストアの要請があると判定された場合には、選択された日のＤＶＤデータを試験データバックアップサーバ４のデータ記憶部４ｂに格納された選択された試験データと置き換えることでリストアされる（Ｓ５２）。その後、終了ボタン２６が押されてこの処理を終了する要請があるか否かを判定し（Ｓ５３）、終了ボタンが押されたと判定された場合には、この設定処理を終了する。
【００４５】
ＤＶＤデータの検索処理は、制御端末３のモニター上に表示される図１２に示されるような設定画面に基づいて行われる。この検索処理は、得たい試験データがどのＤＶＤディスクに保存されているか否かを検索するもので、設定画面においては、検索したい試験データの日付を設定するデータ日付設定部２７と、検索された結果を表示させる保存先ボリューム名表示部２８とが表示され、データ日付設定部２７に、検索したい試験データの日付を設定するようにしている。ここで、データ日付けの設定は、例えば、設定欄の脇にあるプッシュボタンをクリックして表示されるポップアップカレンダから探したい試験データの抽出日を選択することで行われる。そして、利用者は、検索ボタン２９を押して検索の実行を要請し、また、終了ボタン３０を押してこの処理を終える。
【００４６】
試験データバックアップサーバ４は、このような制御端末３からの設定者の操作に対し、図１３に示されるように、画面上の検索ボタン２９が押されてＤＶＤデータの検索要請があるか否かを判定し（Ｓ６１）、検索ボタン２９が押されてＤＶＤデータの検索要請があると判定された場合には、後述する履歴情報に基づき、入力された日付けの試験データを保存したＤＶＤディスクのボリューム名を保存先ボリューム名表示部２８に表示させる（Ｓ６２）。その後、終了ボタン３０が押されてこの処理を終了する要請があるか否かを判定し（Ｓ６３）、終了ボタンが押されたと判定された場合には、この設定処理を終了する。
【００４７】
設定者情報の更新処理は、制御端末３のモニター上に表示される図１４に示されるような設定画面に基づいて行われる。この設定画面においては、現在登録されている設定者と設定者のメールアドレスを表示する登録設定者表示部３１と、新規な設定者及びその設定者のメールアドレスを入力する設定者設定部３２とが表示される。ここで、設定者及びメールアドレスの設定は、対応する入力箇所に直接入力することで設定される。そして、利用者は、追加ボタン３３を押して設定者を追加することで設定者情報を追加表示し、登録設定者表示部３１の登録設定者を選択して削除ボタン３４を押すことで登録されている設定者を削除し、また、終了ボタン３５を押してこの処理を終える。
【００４８】
試験データバックアップサーバ４は、このような設定者の操作に対し、図１５に示されるように、追加ボタン３３が押されて設定者の追加要請があるか否かを判定し（Ｓ７１）、追加ボタン３３が押されたと判定された場合には、設定者設定部３２で設定された設定者情報を追加更新して登録設定者表示部３１に表示させる（Ｓ７２）。また、削除ボタン３４が押されて設定者の削除要請があるか否かを判定し（Ｓ７３）、削除ボタン３４が押されたと判定された場合には、登録設定者表示部３１において選択された設定者情報を削除更新して登録設定者表示部３１から消去する（Ｓ７４）。その後、終了ボタン３５が押されてこの処理を終了する要請があるか否かを判定し（Ｓ７５）、終了ボタン３５が押されたと判定された場合には、この設定処理を終了する。
【００４９】
履歴情報の表示処理は、制御端末３のモニター上に表示される図１６に示されるような設定画面に基づいて行われる。この設定画面においては、履歴情報を日付、抽出種別、抽出状況、ＤＶＤボリューム名、設定者によって表示する履歴情報表示部３６と、抽出月を設定する抽出月入力部３７と、検索、全履歴、削除、終了の各ボタン３８〜４１が表示される。ここで、抽出種別においては、バックアップした試験データの記憶媒体がＤＶＤ４ｃと記憶部４ｂの両方であるか（ＤＶＤ／ＳＲＶ）、ＤＶＤのみであるか（ＤＶＤ）が表示され、抽出状況においては、抽出が完了したか（済）、未完了であるか（未）、失敗したか（失敗）等が表示される。そして、利用者は、検索ボタン３８を押すことで抽出月入力部３７に設定された抽出月の履歴を履歴情報表示部３６に表示させ、全履歴ボタン３９を押すことで過去の全ての抽出履歴を表示させ、削除ボタン４０を押すことで履歴情報表示部３６に表示された履歴情報のうち選択された履歴情報を削除させ、終了ボタン４１を押してこの処理を終える。
【００５０】
試験データバックアップサーバ４は、このような設定者の操作に対して、図１７に示されるように、検索ボタン３８が押されて指定月の抽出要請があるか否かを判定し（Ｓ８１）、検索ボタン３８が押されたと判定された場合には、指定月の抽出履歴を抽出してこれを履歴情報表示部３６に表示させる（Ｓ８２）。また、全履歴ボタン３９が押されて全履歴の抽出要請があるか否かを判定し（Ｓ８３）、全履歴ボタン３９が押されたと判定された場合には、履歴情報の全てを履歴情報表示部３６に表示させる（Ｓ８４）。さらに、削除ボタン４０が押されて選択された履歴情報の削除要請があるか否かを判定し（Ｓ８５）、削除ボタン４０が押されたと判定された場合には、選択された履歴情報を記録から削除して履歴情報表示部３６から消去する（Ｓ８６）。その後、終了ボタン４１が押されてこの処理を終了する要請があるか否かを判定し（Ｓ８７）、終了ボタン４１が押されたと判定された場合には、この設定処理を終了する。
【００５１】
上述した処理によって設定された情報に基づき、試験データバックアップサーバ４は、さらに、図１８に示されるような試験データの自動抽出処理を行う。
先ず、試験データバックアップサーバ４は、バックアップ時刻か否かを判定し（Ｓ１０１）、バックアップ時刻であると判定された場合には、本日が前記Ｓ０８の設定処理によって設定された試験データの自動抽出日であるか否かを、また、本日が前記Ｓ０９の設定処理によって設定されたＤＶＤへの自動抽出日であるかどうかを判定する（Ｓ１０２，Ｓ１０３）。ここで、バックアップ時刻は、例えば、２３時５９分のように、その日の試験データの収集に影響を与えない時間に設定するとよい。
【００５２】
そして、本日が自動抽出日であると判定された場合には、プラントデータ管理サーバ２に対して本日の試験データの送信を要求する（Ｓ１０４）。プラントデータ管理サーバ２は、この要求を受けて、対応する試験データをデータ記憶部２ｂから抽出して試験データバックアップサーバ４へ送信し（Ｓ１０５）、試験データバックアップサーバ４は、この送信された試験データをデータ記憶部４ｂに保存すると共に補助記憶装置であるＤＶＤ４ｃのディスクに記憶させる（Ｓ１０６）。
【００５３】
その後、上述したバックアップによる抽出処理が失敗したか否かを判定し（Ｓ１０７）、抽出処理が失敗していると判定された場合には、その旨の通知をシステムの管理者及び抽出日を設定した設定者のメールアドレスに対して自動配信する（Ｓ１０８）。また、以上の処理が完了した後に抽出先種別や抽出状況などの履歴情報を記録する（Ｓ１０９）。
【００５４】
これに対して、本日がＤＶＤへの自動抽出日であると判定された場合には、プラントデータ管理サーバ２に対して本日の試験データの送出を要求する（Ｓ１１０）。プラントデータ管理サーバ２は、この要求を受けて、対応する試験データをデータ記憶部２ｂから抽出して試験データバックアップサーバ４へ送信し（Ｓ１１１）、試験データバックアップサーバ４は、この送信された試験データをＤＶＤ４ｃのディスクのみに記憶させる（Ｓ１１２）。
【００５５】
その後、前記処理と同様に、上述したバックアップによる抽出処理が失敗したか否かが判定され（Ｓ１１３）、抽出処理が失敗した場合には、その旨の通知をシステムの管理者及び抽出日を設定した設定者のメールアドレスに対して自動配信する（Ｓ１１４）。また、以上の処理が完了した後に抽出先種別や抽出状況などの履歴情報を記録する（Ｓ１１５）。
【００５６】
したがって、プラントデータ管理サーバ２に蓄積された試験データは、所定期間が経過すると消去されるが、利用者は、予め抽出日を設定しておくことで、予定した抽出日の試験データを少なくともＤＶＤに保存しておくことが可能となり、所定期間が経過した後でも設定した抽出日の試験データを利用することが可能となる。また、このようなバックアップ技術を採用することで、プラントデータ管理サーバ２や試験データバックアップサーバ４のデータ記憶部２ｂ，４ｂの容量を大きく変更する必要もなくなる。
【００５７】
さらに、利用者の設定によって抽出日の試験データをＤＶＤ４ｃのみに記憶したり、ＤＶＤ４ｃと試験データバックアップサーバ４のデータ記憶部４ｂとに記憶することが可能となるので、利用者のデータの利用時期や利用態様にあわせて適宜記憶媒体を選択することが可能となり、巾広い利用方法を提供することが可能となる。また、自動抽出機能に加えて、手動バックアップ機能を備えているので、自動抽出機能がうまくいかなかった場合や、設定し忘れた場合でもプラントデータ管理サーバ２のデータ保存期間内であれば、試験データをバックアップすることが可能となる。
【００５８】
尚、上述の構成においては、バックアップ処理に必要な各種設定などを行うにあたり、制御端末３を入力手段として利用するようにした例を示したが、試験データバックアップサーバ４の入力装置４ｅを利用して同様の処理を行ってもよい。また、上述においては、石炭燃焼試験データを収集保存するためのバックアップ技術例を説明したが、他の膨大な試験データを収集保存するために利用するようにしてもよい。さらに、上述の構成においては、リムーバブルな記憶メディアを有する補助記憶装置４ｃとしてＤＶＤを利用した例を示したが、リムーバブルな記憶メディアを有する他の装置で代替させてもよい。
【図面の簡単な説明】
【００５９】
【図１】図１は、本発明に係る試験データバックアップシステムを利用した火力発電プラントの例を示すブロック図である。
【図２】プラントデータ管理サーバと試験データバックアップサーバとの構成例を示すブロック図である。
【図３】図３は、試験データバックアップサーバによる試験データの処理例を説明するフローチャートである。
【図４】図４は、データ自動抽出日の設定を行う設定画面の構成例である。
【図５】図５は、データ自動抽出日の設定処理例を説明するフローチャートである。
【図６】図６は、ＤＶＤへの自動抽出の設定を行う設定画面の構成例である。
【図７】図７は、ＤＶＤへの自動抽出の設定処理例を説明するフローチャートである。
【図８】図８は、手動バックアップの設定を行う設定画面の構成例である。
【図９】図９は、手動バックアップの設定処理例を説明するフローチャートである。
【図１０】図１０は、ＤＶＤデータのリストアを行う操作画面の構成例である。
【図１１】図１１は、ＤＶＤデータのリストアを行う処理例を説明するフローチャートである。
【図１２】図１２は、ＤＶＤの検索を行う操作画面の構成例である。
【図１３】図１３は、ＤＶＤの検索処理例を説明するフローチャートである。
【図１４】図１４は、設定者情報の更新を行う操作画面の構成例である。
【図１５】図１５は、設定者情報の更新処理例を説明するフローチャートである。
【図１６】図１６は、履歴情報の表示を行う操作画面の構成例である。
【図１７】図１７は、履歴情報の表示処理例を説明するフローチャートである。
【図１８】図１８は、試験データバックアップサーバによる自動抽出処理例を説明するフローチャートである。
【符号の説明】
【００６０】
２  プラントデータ管理サーバ
３  制御端末
４  試験データバックアップサーバ
４ｃ  補助記憶装置（ＤＶＤ）
【図１】
2005276077.tif 000003
【図２】
2005276077.tif 000004
【図３】
2005276077.tif 000005
【図４】
2005276077.tif 000006
【図５】
2005276077.tif 000007
【図６】
2005276077.tif 000008
【図７】
2005276077.tif 000009
【図８】
2005276077.tif 000010
【図９】
2005276077.tif 000011
【図１０】
2005276077.tif 000012
【図１１】
2005276077.tif 000013
【図１２】
2005276077.tif 000014
【図１３】
2005276077.tif 000015
【図１４】
2005276077.tif 000016
【図１５】
2005276077.tif 000017
【図１６】
2005276077.tif 000018
【図１７】
2005276077.tif 000019
【図１８】
2005276077.tif 000020